(57)【特許請求の範囲】
【請求項１】
２つの人工衛星からの電波を受信し、外部から指定された一方の人工衛星からの受信信号を選択的に出力するよう構成された受信アンテナに対して、前記２つの人工衛星からの受信信号が交互に出力されるように、受信する人工衛星を交互に切り換えて指定する人工衛星指定手段と、
該人工衛星指定手段による人工衛星の指定によって前記受信アンテナから交互に出力される各人工衛星からの受信信号を順次取り込み、該受信信号に含まれる特定チャンネルの信号を選局する選局手段と、
該選局手段にて選局された前記各人工衛星の特定チャンネルの受信信号の信号レベルを各々検出するレベル検出手段と、
該レベル検出手段にて検出された信号レベルを前記各人工衛星毎に並列に表示できるように設定された長尺状の２つの表示エリアを有する表示手段と、
該表示手段の各表示エリアにて一端側から他端側へとレベル表示用の画素を点灯させることにより、前記レベル検出手段にて検出された前記各人工衛星からの受信信号の信号レベルを並列表示させる表示制御手段と、
を備えた受信レベル測定装置であって、
前記表示制御手段は、
前記レベル検出手段にて検出された各人工衛星毎の信号レベルの内、レベルが高い第１人工衛星については、前記表示手段の表示エリアにて１画素当たりに第１レベル単位で受信信号の信号レベルを表示するよう、前記レベル検出手段にて検出された信号レベルから前記表示エリアでの点灯画素数を算出し、
受信信号の信号レベルが前記第１人工衛星よりも低い第２人工衛星については、前記表示手段の表示画面上で前記第１人工衛星とのレベル差が明確になるよう、前記レベル検出手段にて検出された各人工衛星毎の信号レベルのレベル差に対応する画素数を、前記表示エリアにおける１画素当たりの信号レベルが前記第１レベル単位よりも小さい第２レベル単位で算出し、該算出した画素数を前記第１人工衛星に対する点灯画素数から減じることで、前記表示エリアでの点灯画素数を算出することを特徴とする受信レベル測定装置。
【請求項２】
前記受信アンテナは、前記２つの人工衛星から夫々送信された直交２偏波の電波を受信し、外部から指定された人工衛星からの受信信号を出力する際には、外部から指定された偏波の受信信号を選択的に出力するよう構成され、
前記人工衛星指定手段は、前記受信アンテナに対して、受信する人工衛星を交互に切り換えて指定する衛星選択信号に加えて、前記受信アンテナが出力する受信信号の偏波を指定する偏波指定信号を出力することを特徴とする請求項１記載の受信レベル測定装置。
【請求項３】
前記表示手段は、前記レベル検出手段にて検出された信号レベルを各人工衛星毎に並列に表示するための長尺状の２つの表示エリアに加えて、各人工衛星毎に信号レベルを数値表示するための数値表示部を備え、
前記表示制御手段は、前記長尺状の２つの表示エリアへの信号レベルの並列表示とは別に、前記数値表示部への各人工衛星の信号レベルの数値表示を行うことを特徴とする請求項１又は請求項２に記載の受信レベル測定装置。
【発明の詳細な説明】
【０００１】
【発明の属する技術分野】
本発明は、２つの人工衛星からの電波を同時に受信し、いずれかの人工衛星からの受信信号を選択的に出力する受信アンテナからの受信信号の信号レベルを測定する信号レベル測定装置に関する。
【０００２】
【従来の技術】
従来より、人工衛星からの送信電波を受信する受信アンテナとして、例えば、株式会社スカイパーフェクト・コミュニケーションズが提供するＣＳ放送サービス（スカイパーフェクＴＶ）を享受するために用いられる受信アンテナのように、１つの受信アンテナで、２つの衛星からの電波を同時に受信し、各衛星から得られた受信信号のいずれかを外部からの指令に従い選択的に出力するように構成された受信アンテナが知られている。
【０００３】
また、上記ＣＳ放送サービス（スカイパーフェクＴＶ）では、電波の有効利用を図るために、放送用の電波に直交２偏波が用いられており、こうした直交２偏波の電波を受信する受信アンテナにおいては、受信可能な人工衛星毎に、受信する電波の偏波を外部から指定できるようにされている。
【０００４】
ところで、この種の受信アンテナを設置する際には、２つの人工衛星からの電波を同時に受信できるように受信アンテナの向き（方位角，仰角）を調整する必要があり、また、人工衛星からの送信電波が直交２偏波である際には、受信地域によっては人工衛星からの電波の偏波が傾くため、これを調整しなければならない。
【０００５】
そこで、従来より、こうした受信アンテナの調整を簡単に行うための受信レベル測定装置として、受信アンテナから、２つの人工衛星からの受信信号を交互に出力させ、その出力された各人工衛星からの受信信号の信号レベルを順に測定して、その測定した各人工衛星毎の信号レベルを、バーグラフ状の表示形態で、一つの表示装置に同時に表示するように構成されたものが提案されている（特開平１１−３０８１８２号公報参照）。
【０００６】
つまり、上記受信アンテナを２つの人工衛星からの電波を同時に受信できるように設置するには、受信アンテナから出力される各人工衛星毎の受信信号の信号レベルが略同レベルとなるようにすればよいことから、上記受信レベル測定装置では、受信アンテナにて受信された各人工衛星毎の受信信号の信号レベルを表示装置に同時に表示し、使用者が、その表示された信号レベルの差が小さくなるように受信アンテナ方向を調整することで、受信アンテナ方向を簡単に調整できるようにしているのである。
【０００７】
【発明が解決しようとする課題】
しかしながら、上記提案の受信レベル測定装置では、各人工衛星毎の信号レベルを同じ分解能でバーグラフ状に表示することから、各人工衛星毎の信号レベルの差が小さい場合に、表示画面上でそのレベル差を識別することができず、レベル差がなくなるようにアンテナ方向を調整することが難しいという問題があった。
【０００８】
つまり、上記受信アンテナの方向調整を行う際には、各人工衛星の受信信号のレベル差を小さくするだけでなく、受信信号の絶対レベルが最も高くなるようにする必要があるため、上記提案の受信レベル測定装置では、使用者が一目で信号レベルを把握できるように、信号レベル表示エリアのレベル表示範囲（ダイナミックレンジ）を大きくしているが、ダイナミックレンジを大きくすると、表示エリア１画素当たりのレベル変化幅が大きくなり（換言すれば分解能が低くなり）、各人工衛星の受信信号のレベル差が小さい場合には、その表示画面からレベル差を把握できなくなってしまい、アンテナ方向を高精度に調整することができないのである。
【０００９】
尚、こうした問題を防止するには、表示エリア１画素当たりのレベル変化幅が小さくなるように、表示エリアを大きくすればよいが、このような対策では、受信レベル測定装置の大型化・コストアップを招くという問題が生じる。
また、表示エリアのレベル表示範囲（ダイナミックレンジ）を小さくし、受信信号の信号レベルに応じて表示エリアでのレベル表示範囲を切り換える、所謂レンジ切り換えを行うことも考えられるが、このようなレンジ切り換えを行うと、使用者は、表示エリアでの表示レンジを確認して信号レベルを読み取る必要があり、しかも、各人工衛星毎の信号レベルの差が大きいときには、各信号レベルの表示エリアが異なる表示レンジに設定されてしまうことから、表示画面上で各人工衛星の受信信号のレベル差を把握することができなくなる、という問題がある。
【００１０】
本発明は、こうした問題に鑑みなされたものであり、２つの人工衛星からの電波を同時に受信可能な受信アンテナから出力される受信信号の信号レベルを測定する受信レベル測定装置において、信号レベルの表示エリアを大きくすることなく、各人工衛星からの受信信号の信号レベルとレベル差とを一目で把握できるようにすることを目的とする。
【００１１】
【課題を解決するための手段】
かかる目的を達成するためになされた請求項１記載の受信レベル測定装置においては、人工衛星指定手段が、２つの人工衛星からの電波を受信可能な受信アンテナに対して、受信する人工衛星を交互に切り換えて指定することにより、受信アンテナから２つの人工衛星からの受信信号を交互に出力させ、選局手段が、その受信アンテナから交互に出力される各人工衛星からの受信信号を順次取り込み、その受信信号に含まれる特定チャンネルの信号を選局し、レベル検出手段が、その選局された各人工衛星の特定チャンネルの受信信号の信号レベルを各々検出する。
【００１２】
また、請求項１記載の受信レベル測定装置には、レベル検出手段にて検出された信号レベルを各人工衛星毎に並列に表示できるように設定された長尺状の２つの表示エリアを有する表示手段が備えられており、表示制御手段が、この表示手段の各表示エリアにて一端側から他端側へとレベル表示用の画素を点灯させることにより、レベル検出手段にて検出された各人工衛星からの受信信号の信号レベルを並列表示させる。
【００１３】
また、表示制御手段が表示手段の各表示エリアに各人工衛星からの受信信号の信号レベルを表示させる際には、レベル検出手段にて検出された各人工衛星毎の信号レベルの内、レベルが高い第１人工衛星については、表示手段の表示エリアにて１画素当たりに第１レベル単位で受信信号の信号レベルを表示するよう、レベル検出手段にて検出された信号レベルから表示エリアでの点灯画素数を算出し、受信信号の信号レベルが第１人工衛星よりも低い第２人工衛星については、表示手段の表示画面上で第１人工衛星とのレベル差が明確になるよう、レベル検出手段にて検出された各人工衛星毎の信号レベルのレベル差に対応する画素数を、表示エリアにおける１画素当たりの信号レベルが第１レベル単位よりも小さい第２レベル単位で算出し、その算出した画素数を第１人工衛星に対する点灯画素数から減じることで、表示エリアでの点灯画素数を算出する。
【００１４】
この結果、表示手段において、受信アンテナによる受信信号の信号レベルが高くなる第１人工衛星の表示エリアには、受信信号の信号レベルが、第１レベル単位で表示され、受信アンテナによる受信信号の信号レベルが低くなる第２人工衛星の表示エリアには、受信信号の信号レベルが、この信号レベルを第１レベル単位で表示したときよりも第１人工衛星に対するレベル差が大きくなるように表示されることになる。
【００１５】
従って、受信信号の信号レベルが高い第１人工衛星の表示エリアでは、表示レンジを切り換えることなく、大きなダイナミックレンジで信号レベルを表示できることになり、使用者は、その表示エリアでのレベル表示を見ることにより、受信信号の信号レベルを容易に把握できる。
【００１６】
また、受信信号の信号レベルが低い第２人工衛星の表示エリアでは、第１人工衛星に対する受信信号のレベル差が大きくなるように信号レベルが表示されることから、使用者は、各表示エリアでのレベル表示の差から各人工衛星からの受信信号のレベル差を容易に把握できる。
【００１７】
よって、請求項１記載の受信レベル測定装置を用いれば、表示手段の表示状態を確認しつつ受信アンテナの方向調整を行うことで、アンテナ方向を簡単且つ高精度に調整できるようになる。
ここで、選局手段は、受信アンテナから交互に出力される各人工衛星からの受信信号の中から、信号レベルの測定対象となる特定チャンネルの信号を選局するが、選局手段が選局する特定チャンネルは、信号レベル測定用に予め設定されていてもよく、或いは、使用者が外部から指定できるようにしてもよい。
【００１８】
また、受信アンテナが、２つの人工衛星から夫々送信された直交２偏波の電波を受信し、指定された人工衛星からの受信信号を出力する際には、外部から指定された偏波の受信信号を選択的に出力するよう構成されている場合には、請求項２に記載のように、人工衛星指定手段を、受信アンテナに対して人工衛星指定用の衛星選択信号に加えて、受信アンテナが出力する受信信号の偏波を指定する偏波指定信号を出力するよう構成すればよい。
【００１９】
尚、この場合、人工衛星指定手段が指定する偏波は、使用者が外部から指定できるようにすることが望ましい。
つまり、選局手段による選局チャンネルを固定した状態で、受信アンテナが出力する受信信号の偏波を切り換え、その切換後の信号レベルが比較的高いときには、受信アンテナにて直交２偏波を良好に分離できていないと判断できるので、使用者が受信アンテナが出力する受信信号の偏波を指定できるようにすれば、例えば、受信アンテナから特定偏波の受信信号を出力させてアンテナ方向を調整した後、使用者が、受信アンテナが出力する受信信号の偏波を切り換えることで、受信アンテナによる直交２偏波の分離度を容易に確認できることになる。
【００２０】
尚、偏波切り換え後の信号レベルが比較的高い場合には、受信アンテナの偏波を交互に切り換えて信号レベルの差を確認し、その差が大きくなるように、受信アンテナの反射鏡やコンバータの取付角度を調整することにより、受信アンテナの偏波面調整を簡単に行うことができる。
【００２１】
一方、表示手段としては、上述した信号レベル表示用の長尺状の２つの表示エリアだけを備えていてもよいが、例えば、請求項３に記載のように、この表示エリアとは別に、各人工衛星毎に信号レベルを数値表示するための数値表示部を備えていてもよい。
【００２２】
そして、この場合、表示制御手段を、長尺状の２つの表示エリアへの信号レベルの並列表示とは別に、数値表示部への各人工衛星の信号レベルの数値表示を行うようにすれば、使用者は、その数値表示部に表示された数値を読み取ることにより、各人工衛星の信号レベル（絶対レベル）を確認することができ、受信アンテナの方向調整をより高精度に行うことができる。
【００２３】
【発明の実施の形態】
以下に本発明の実施例を図面と共に説明する。
まず図１は、２つの人工衛星（以下、衛星Ａ，衛星Ｂとよぶ）からそれぞれ送出される直交２偏波の電波を受信する受信アンテナ２からの受信信号を受け、その信号レベルを表示する本実施例の受信レベル測定装置１０全体の構成を表すブロック図である。
【００２４】
図１に示すように、本実施例では、受信アンテナ２としてオフセット型のパラボラアンテナが用いられており、受信アンテナ２の反射鏡４は、当該受信アンテナ２を屋根や地面の上に固定するための固定台７に立設された支柱６に、反射鏡４の仰角及び方位角，場合によっては回転角を調整可能な支持具（図示せず）を介して取り付けられている。また支持具には、反射鏡４により集波された各衛星Ａ，Ｂからの垂直及び水平偏波の電波をそれぞれ受信し、いずれかの偏波信号を所定周波数帯（９５０〜１８８０ＭＨｚ）の第１中間周波信号（ＲＦ信号）に変換して、これを受信信号として出力するコンバータ３０が支持腕８を介して取り付けられている。
【００２５】
そして、このコンバータ３０には、図２に示すように、反射鏡４により集波され円形導波管３２により導かれた衛星Ａからの垂直及び水平偏波をプローブＰ１，Ｐ２を介して受波する第１受波部３４と、同じく反射鏡４により集波され円形導波管３３に導かれた衛星Ｂからの垂直及び水平偏波をプローブＰ３，Ｐ４を介して受波する第２受波部３５とが設けられている。
【００２６】
このうち第１受波部３４は、プローブＰ１，Ｐ２からの出力信号、即ち垂直及び水平偏波信号をそれぞれ増幅する垂直偏波信号増幅回路３４ａ，及び水平偏波信号増幅回路３４ｂと、各偏波信号増幅回路３４ａ，３４ｂからの出力信号を混合する混合回路３４ｃとを備えている。一方、第２受波部３５は、第１受波部３４と全く同様の構成をしており、プローブＰ３，Ｐ４からの垂直及び水平偏波信号をそれぞれ増幅する垂直偏波信号増幅回路３５ａ，及び水平偏波信号増幅回路３５ｂと、各偏波信号増幅回路３５ａ，３５ｂからの出力信号を混合する混合回路３５ｃとを備えている。
【００２７】
尚、各偏波信号増幅回路３４ａ，３４ｂ，３５ａ，３５ｂは、正負の電源電圧を受けて動作する高電子移動度トランジスタ（ＨＥＭＴ）を中心に構成された周知の低雑音増幅回路からなり、両受波部３４，３５の各垂直偏波信号増幅回路３４ａ，３５ａには正電源＋Ｖｖ，各水平偏波信号増幅回路３４ｂ，３５ｂには正電源＋Ｖｈが印加され、また、第１受波部３４の両偏波信号増幅回路３４ａ，３４ｂには負電源−Ｖａ，第２受波部３５の両偏波信号増幅回路３５ａ，３５ｂには負電源−Ｖｂが印加されている。そして、後述の正電源供給回路４５から正電源＋Ｖｖ，＋Ｖｈのいずれか一方、及び後述の負電源供給回路４６から負電源−Ｖａ，−Ｖｂのいずれか一方をそれぞれ供給し、これら供給される正負電源の組み合わせに従って、正負両電源が印加される偏波信号増幅回路３４ａ，３４ｂ，３５ａ，３５ｂのいずれか一つを選択的に駆動するようにされている。
【００２８】
また、コンバータ３０は、各受波部３４，３５からの出力信号を混合する混合回路３６と、混合回路３６からの出力信号を増幅する高周波増幅回路３７と、高周波増幅回路３７からの出力信号を、局部発振回路３８からの出力信号と混合し周波数変換して前述のＲＦ信号を生成するミキサ３９と、ミキサ３９が生成したＲＦ信号を増幅する中間周波増幅回路４０とを備え、この増幅されたＲＦ信号が、直流遮断用のコンデンサ４１、入出力端子４２を介して伝送線９（図１参照）に出力されるように構成されている。
【００２９】
更に、コンバータ３０は、コンデンサＣ１，Ｃ２及びコイルＬからなり、伝送線９を介して入出力端子４２に印加される入力から直流成分のみを抽出するローパスフィルタ４３と、ローパスフィルタ４３の出力に基づいて、当該コンバータ３０の各部を駆動するための正電源＋Ｖｃ及び負電源−Ｖｃを生成する定電圧回路４４と、第１及び第２受波部３４，３５に正電源＋Ｖｖ，＋Ｖｈのいずれかを供給する正電源供給回路４５と、第１及び第２受波部３４，３５に負電源−Ｖａ，−Ｖｂのいずれかを供給する負電源供給回路４６と、ローパスフィルタ４３の出力電圧（以下、給電電圧という）を予め設定された比較電圧（本実施例では１３Ｖ）とを比較し、比較電圧より小さければ正電源＋Ｖｖ，比較電圧以上であれば正電源＋Ｖｈが供給されるよう正電源供給回路４５を制御する偏波切換制御回路４７と、入出力端子４２に印加される入力に、トーン信号（３２ｋ〜５３ｋＨｚ）が重畳されているか否かを判断し、重畳されていれば負電源−Ｖａ，重畳されていなければ負電源−Ｖｂが供給されるよう負電源供給回路４６を制御する衛星切換制御回路４８とを備えている。
【００３０】
即ち、コンバータ３０では、入出力端子４２からの入力にトーン信号が重畳されているか否かにより、衛星Ａ，Ｂのいずれかを指定すると共に、給電電圧が比較電圧より小さいか否かにより、垂直或いは水平偏波のいずれかを指定し、この指定衛星からの指定偏波を受信してＲＦ信号に変換したものを、受信信号として入出力端子４２から出力するようにされている。
【００３１】
尚、正電源供給回路４５，負電源供給回路４６，偏波切換制御回路４７，衛星切換制御回路４８は、例えば、特開平４−１３５３２８号公報や特開平９−１７１０４３号公報等に記載された周知のものであるため、その詳細についての説明は、ここでは省略する。
【００３２】
次に、本実施例の受信レベル測定装置１０は、図１に示すように、入出力端子１１を介して伝送線９にコンバータ３０の電源となる直流成分を印加すると共に、伝送線９を介して入力されるコンバータ３０からの受信信号（ＲＦ信号）を直流成分から分離する電源分離フィルタ１２と、後述する選局信号Ｓｓに従って、ＲＦ信号中の特定チャンネルの信号を４００ＭＨｚ帯（中心周波数４０２．７８ＭＨｚ；出力周波数に相当）の第２中間周波信号（ＩＦ信号）に変換して出力する選局回路１３と、選局回路１３からのＩＦ信号を復調する復調回路１４と、復調回路１４にて生成された復調信号の電圧レベル（即ち選局回路１３が選局したチャンネルの信号レベル）をデジタル値に変換するＡ／Ｄコンバータ１５とを備えている。
【００３３】
また、受信レベル測定装置１０は、受信レベルの測定対象となる各衛星Ａ，Ｂの偏波，チャンネル等を指定するための操作部１６と、液晶表示パネル等からなる表示装置１７と、この表示装置１７を駆動する表示制御回路１８と、コンバータ３０へ供給する直流成分を生成し、その電圧（給電電圧）を、偏波切換信号Ｓｖに従って、水平偏波指定用の高電圧（本実施例では１５Ｖ）或いは垂直偏波選択用の低電圧（本実施例では１１Ｖ）のいずれかに設定する電圧発生回路１９と、衛星切換信号Ｓｔに従って、トーン信号を発生させるトーン信号発生回路２０と、電圧発生回路１９が生成する直流成分に、トーン信号を重畳して電源分離フィルタに供給する信号重畳回路２１と、ＣＰＵ，ＲＯＭ，ＲＡＭを中心に構成された周知のマイクロコンピュータからなり、操作部１６での操作に従って各衛星Ａ，Ｂ毎に選局信号Ｓｓ，偏波切換信号Ｓｖを設定し、Ａ／Ｄコンバータ１５を介して読み込んだ電圧レベルに基づいて各衛星Ａ，Ｂの受信レベル等を表示制御回路１８を介して表示装置１７に表示させる表示制御を実行する制御回路２２とを備えている。
【００３４】
尚、信号重畳回路２１は、トランジスタＴＲ１，抵抗Ｒ１，Ｒ２からなり、電圧発生回路１９から電源分離フィルタ１２への給電経路を断続する第１スイッチング回路と、給電方向を順方向としてトランジスタＴＲ１に並列接続されたダイオードＤと、トランジスタＴＲ２，抵抗Ｒ３，Ｒ４からなり、トーン信号発生回路２０が出力するトーン信号に従って、第１スイッチング回路をオン／オフ制御する第２スイッチング回路とからなる。
【００３５】
そして、トーン信号発生回路２０の出力がHighレベルの場合、第１及び第２スイッチング回路（即ちトランジスタＴＲ１，ＴＲ２）がいずれもオン状態となるため、電源分離フィルタ１２に供給される給電電圧は、電圧発生回路１９の出力電圧より、トランジスタＴＲ１のコレクタ−エミッタ間電圧での電圧降下（０．１〜０．３Ｖ）分だけ小さいものとなる。一方、トーン信号発生回路２０の出力がLow レベルの場合、第１及び第２スイッチング回路がいずれもオフ状態となるため、電源分離フィルタ１２に供給される給電電圧は、電圧発生回路１９の出力電圧より、ダイオードＤの順方向電圧（０．７〜０．９Ｖ）分だけ小さいものとなる。
【００３６】
このため、トーン信号発生回路２０からトーン信号が出力されている時には、電圧発生回路１９が出力する直流成分に、振幅が０．６±０．２［Ｖ］のトーン信号が重畳されたものが、電源分離フィルタ１２に供給されることになる。そして、上述のように、衛星Ａを指定する場合にはトーン信号を重畳し、衛星Ｂを指定する場合にはトーン信号を重畳しないようにされ、また、水平偏波を指定する場合には給電電圧を１５Ｖとし、垂直偏波を指定する場合には給電電圧を１１Ｖとするようにされているので、これらを組み合わせた各場合における信号重畳回路２１の出力波形、即ち、伝送線９を介してコンバータ３０に供給される成分の波形は、図３に示すようなものとなる。
【００３７】
次に、制御回路２２は、上記のように、操作部１６での操作に従って選局信号Ｓｓ，偏波切換信号Ｓｖを設定し、衛星切換信号Ｓｔの出力を交互に切り換えることにより、各衛星Ａ，Ｂ毎に、使用者が指定した偏波、チャンネルの信号を選局回路１３に交互に選局させて、その信号レベル（電圧レベル）をＡ／Ｄコンバータ１５から順次読み込む。
【００３８】
そして、制御回路２２は、その読み込んだ各衛星Ａ，Ｂの信号レベルや、各衛星Ａ，Ｂの受信チャンネル（ＣＨ）、偏波面（水平偏波：Ｈ、又は、垂直偏波Ｖ）等を、表示装置１７に同時に表示させるための表示データを生成し、その生成した表示データを表示制御回路１８に出力することにより、表示装置１７に同時に表示させる。
【００３９】
図４は、こうした制御回路２２の一連の制御処理によって表示装置１７に実際に表示される受信レベルの測定結果を表している。
図４に示すように、表示装置１７の表示画面は、各衛星Ａ，Ｂの信号レベルをアナログ的に並列に表示するために長尺状に設定された２つの表示エリア（以下、バー表示部という）１７ａ，１７ｂと、各衛星Ａ，Ｂの信号レベル（受信レベル）を受信ＣＨ（図ではＣＨ３）、偏波面（図では垂直偏波Ｖ）の他の受信情報と共に数値表示するための数値表示部１７ｃとに分割されている。
【００４０】
また、各バー表示部１７ａ，１７ｂは、信号レベルをバー表示するために、レベル表示用に設定された縦長の画素を、表示画面の横方向に略等間隔で複数（本実施例では１６個）配置した構成となっている。
そして、制御回路２２は、２つの衛星Ａ，Ｂの内、信号レベルの高い衛星（図では衛星Ａ）の信号レベルについては、対応するバー表示部（図では１７ａ）での信号レベルの表示範囲を実用範囲である６０ｄＢμ〜９０ｄＢμとして、１画素当たり２ｄＢ（請求項１に記載の第１レベル単位）の分解能で信号レベルを表示するのに必要な画素数を算出し、表示制御回路１８に対して、対応するバー表示部（図では１７ａ）で左端側から算出した画素数分だけ画素を点灯させることにより、信号レベルをバー表示させる。
【００４１】
また、制御回路２２は、２つの衛星Ａ，Ｂの内、信号レベルの低い衛星（図では衛星Ｂ）の信号レベルについては、表示画面上で他方の衛星（図では衛星Ａ）とのレベル差が明確になるように、そのレベル差に対応する画素数を、対応するバー表示部（図では１７ｂ）における１画素当たりの信号レベルが他方の衛星のレベル表示の際の２ｄＢの１０分の１となる０．２ｄＢ（請求項１に記載の第２レベル単位）で算出し、その算出した画素数を他方の衛星のバー表示部でのレベル表示用の画素数から減じることで、レベル表示用の画素数を算出し、表示制御回路１８に対して、対応するバー表示部（図では１７ａ）で左端側から算出した画素数分だけ画素を点灯させることにより、信号レベルをバー表示させる。
【００４２】
以下、このように制御回路２２にて実行される受信レベル測定処理を、図５に示すフローチャートに沿って説明する。
尚、本処理が開始される前に、操作部１６を介して、受信レベルを測定すべき偏波の種類，チャンネルが設定され、その設定内容がＲＡＭの所定エリアに格納されているものとする。また、本処理は、一旦起動されると、以後、繰り返し実行されるが、実行中に操作部１６を介して、上記設定が変更された場合には、その変更に応じてＲＡＭの格納値が更新されるものとする。
【００４３】
図５に示すように、本処理が起動されると、まずＳ１００（Ｓはステップを表す）にて、予めＲＡＭに格納された設定内容を読み込み、続くＳ１１０にて、その読み込んだ設定内容に基づき、偏波の種類として水平偏波が指定されているか否かを判断する。
【００４４】
そして、偏波の種類として水平偏波が指定されている場合には、Ｓ１２０にて、電圧発生回路１９からの給電電圧が高電圧（１５Ｖ）となるよう偏波切換信号Ｓｖを設定した後、Ｓ１４０に進み、偏波の種類として垂直偏波が指定されている場合には、Ｓ１３０にて、電圧発生回路１９からの給電電圧が低電圧（１１Ｖ）となるよう偏波切換信号Ｓｖを設定した後、Ｓ１４０に進む。
【００４５】
次に、Ｓ１４０では、衛星Ａからの受信信号（ＲＦ信号）の信号レベルを測定するために、トーン信号発生回路２０からトーン信号が出力されるよう衛星切換信号Ｓｔを設定し、続くＳ１５０では、Ｓ１１０にて読み込んだ設定内容に基づき、ＲＦ信号の中から、衛星Ａに対して指定されたチャンネルの信号が選局回路１３にて選局されＩＦ信号に変換されるよう選局信号Ｓｓを設定し、続くＳ１６０では、選局回路１３からのＩＦ信号を復調回路１４にて復調してなる復調信号の電圧レベルを、衛星Ａからの受信信号の信号レベルＬａとして、Ａ／Ｄコンバータ１５から読み込み、ＲＡＭの所定エリアに格納する。
【００４６】
また次に、続くＳ１７０では、衛星Ｂからの受信信号（ＲＦ信号）の信号レベルを測定するために、トーン信号発生回路２０からトーン信号が出力されないように衛星切換信号Ｓｔを設定し、続くＳ１８０では、Ｓ１１０にて読み込んだ設定内容に基づき、ＲＦ信号の中から、衛星Ｂに対して指定されたチャンネルの信号が選局回路１３にて選局されＩＦ信号に変換されるよう選局信号Ｓｓを設定し、続くＳ１９０では、選局回路１３からのＩＦ信号を復調回路１４にて復調してなる復調信号の電圧レベルを、衛星Ｂからの受信信号の信号レベルＬｂとして、Ａ／Ｄコンバータ１５から読み込み、ＲＡＭの所定エリアに格納する。
【００４７】
そして、続くＳ２００では、上記のように測定した各衛星Ａ，Ｂからの受信信号の信号レベルＬａ，Ｌｂを表示制御回路１８を介して表示装置１７に表示させる受信レベル表示処理を実行し、当該処理を一旦終了する。
次に、図６は、このＳ２００で実行される受信レベル表示処理の詳細を表すフローチャートである。
【００４８】
図６に示すように、受信レベル表示処理では、まずＳ２１０にて、上記のように測定した各衛星Ａ，Ｂの信号レベルＬａ，ＬｂをＲＡＭから読み出し、各信号のレベル差△Ｌ（絶対値）を算出する。
そして、続くＳ２２０では、信号レベルＬａが信号レベルＬｂ以上であるかを判定することにより、各衛星Ａ，Ｂの信号レベルＬａ，Ｌｂの大小判定を行い、信号レベルＬａが信号レベルＬｂ以上であれば、Ｓ２３０及びＳ２４０にて、バー表示部１７ａ，１７ｂに各信号レベルＬａ，Ｌｂを表示させるための点灯画素数Ｎａ，Ｎｂを順に算出する。
【００４９】
即ち、Ｓ２３０では、信号レベルが高い方の衛星Ａの信号レベルをバー表示部１７ａにバー表示させるための点灯画素数Ｎａを、次式(1)
Ｎａ＝（Ｌａ−６０）／２＋１    …(1)
を用いて算出し、Ｓ２４０では、信号レベルが低い方の衛星Ｂの信号レベルをバー表示部１７ｂにバー表示させるための点灯画素数Ｎｂを、次式(2)
Ｎｂ＝Ｎａ−（△Ｌ／０．２）    …(2)
を用いて算出する。
【００５０】
尚、上記各演算式(1)，(2)において、値「６０」は、信号レベルが高い側のレベル表示部（ここでは１７ａ）での最低表示レベルである６０ｄＢμを表し、値「２」は、同じく信号レベルが高い側のレベル表示部における１画素当たりの信号レベルである２ｄＢを表し、値「０．２」は、信号レベルが低い側のレベル表示部（ここでは１７ｂ）における１画素当たりの信号レベルである０．２ｄＢを表す。
【００５１】
従って、図４に示すように、衛星Ａの信号レベルが８４．４ｄＢμ、衛星Ｂの信号レベルが８３．６ｄＢμである場合、バー表示部１７ａでの点灯画素数Ｎａは、次式
Ｎａ＝（８４．４−６０）／２＋１＝１３．２
より、１３個となり、バー表示部１７ｂでの点灯画素数Ｎｂは、次式
Ｎｂ＝１３−（８４．４−８３．６）／０．２＝９
より、９個となる。
【００５２】
一方、Ｓ２２０にて、信号レベルＬａが信号レベルＬｂよりも小さいと判断された場合には、Ｓ２５０及びＳ２６０にて、バー表示部１７ｂ，１７ａに各信号レベルＬｂ，Ｌａを表示させるための点灯画素数Ｎｂ，Ｎａを順に算出する。
即ち、Ｓ２５０では、信号レベルが高い方の衛星Ｂの信号レベルをバー表示部１７ｂにバー表示させるための点灯画素数Ｎｂを、次式(3)
Ｎｂ＝（Ｌａ−６０）／２＋１  …(3)
を用いて算出し、Ｓ２６０では、信号レベルが低い方の衛星Ａの信号レベルをバー表示部１７ａにバー表示させるための点灯画素数Ｎａを、次式(4)
Ｎａ＝Ｎｂ−（△Ｌ／０．２）  …(4)
を用いて算出する。
【００５３】
尚、上記各演算式(3)，(4)における値「６０」，「２」，「０．２」は、各演算式(1)，(2)と同様の値である。
このようにＳ２３０，Ｓ２４０又はＳ２５０，Ｓ２６０にて各バー表示部１７ａ，１７ｂでの点灯画素数Ｎａ，Ｎｂが算出されると、Ｓ２７０にて、その算出した点灯画素数Ｎａ，Ｎｂを表示制御回路１８に出力することにより、表示装置１７の各バー表示部１７ａ，１７ｂで左端側から点灯画素数Ｎａ，Ｎｂ分だけ画素を点灯させる。この結果、表示装置１７の表示画面上では、図４に例示したように、各衛星Ａ，Ｂの信号レベルが並列にバー表示されることになる。
【００５４】
そして、続くＳ２８０では、各衛星Ａ，Ｂの受信ＣＨ、偏波面、信号レベルＬａ，Ｌｂを表すデータを表示制御回路１８に出力することにより、表示装置１７の数値表示部１７ｃにこれら各データを数値表示させ、当該受信レベル表示処理を終了する。
【００５５】
以上説明したように、本実施例の受信レベル測定装置１０においては、受信アンテナ２で受信可能な２つの衛星Ａ，Ｂからの受信信号の信号レベルＬａ，Ｌｂを表示装置１７の表示画面上に並列にバー表示する際、信号レベルが高い衛星Ａ（又はＢ）については、その衛星Ａ（又はＢ）のバー表示部１７ａ（又は１７ｂ）にて１画素当たりに２ｄＢ単位で信号レベルＬａ（又はＬｂ）を表示するよう、そのバー表示部１７ａ（又は１７ｂ）での点灯画素数Ｎａ（又はＮｂ）を算出し、信号レベルが低い衛星Ｂ（又はＡ）については、他の衛星Ａ（又はＢ）とのレベル差△Ｌが明確になるよう、２つの衛星Ａ，Ｂの信号レベルＬａ，Ｌｂのレベル差△Ｌに対応する画素数を、１画素当たりに０．２ｄＢ単位で算出し、その算出した画素数（＝△Ｌ／０．２）を、他の衛星に対する点灯画素数Ｎａ（又はＮｂ）から減じることで、バー表示部１７ｂでの点灯画素数Ｎｂ（又はＮａ）を算出し、これら各算出結果に基づき、各バー表示部１７ａ，１７ａの画素を左端から点灯するようにされている。
【００５６】
この結果、表示装置１７において、２つの衛星Ａ，Ｂの内、信号レベルが高くなる衛星Ａ（又はＢ）のバー表示部１７ａ（又は１７ｂ）には、受信信号の信号レベルＬａ（又はＬｂ）が２ｄＢ単位でバー表示され、信号レベルが低くなる衛星Ｂ（又はＡ）のバー表示部１７ｂ（又は１７ａ）には、受信信号の信号レベルＬｂ（又はＬａ）が、これを２ｄＢ単位で表示したときよりも衛星Ａ（又はＢ）に対するレベル差が大きく（本実施例では１０倍）なるようにバー表示されることになる。
【００５７】
従って、本実施例の受信レベル測定装置１０を用いれば、信号レベルが高い衛星Ａ（又はＢ）のバー表示部１７ａ（又は１７ｂ）では、表示レンジを切り換えることなく、大きなダイナミックレンジで信号レベルＬａ（又はＬｂ）をバー表示できることになり、使用者は、そのバー表示部１７ａ（又は１７ｂ）でのレベル表示を見ることにより、その信号レベルを容易に把握できる。
【００５８】
また、信号レベルが低い衛星Ｂ（又はＡ）のバー表示部１７ｂ（又は１７ａ）では、衛星Ａ（又はＢ）とのレベル差△Ｌが大きくなるように信号レベルＬｂ（又はＬａ）が表示されることから、使用者は、２つのバー表示部１７ａ，１７ｂでのレベル表示の差から、各衛星Ａ，Ｂからの受信信号のレベル差△Ｌを容易に把握できる。
【００５９】
よって、本実施例の受信レベル測定装置１０を用いれば、表示装置１７におけるバー表示部１７ａ，１７ｂでの表示状態を確認しつつ受信アンテナ２の方向調整を行うことで、受信アンテナ２の向きを、２つの衛星Ａ，Ｂからの送信電波を受信するのに最適な方向に簡単且つ高精度に調整できるようになる。
【００６０】
また、本実施例の受信レベル測定装置１０では、各衛星Ａ，Ｂの信号レベルを表示装置１７のバー表示部１７ａ，１７ｂにバー表示するだけでなく、表示装置１７のバー表示部１７ａ，１７ｂとは異なる位置に設定された数値表示部１７ｃに数値にて表示するため、使用者は、その数値表示部１７ｃに表示された数値を読み取ることにより、各衛星Ａ，Ｂからの受信信号の信号レベル（絶対レベル）を確認することもできる。
【００６１】
よって、使用者は、バー表示部１７ａ，１７ｂでの表示状態を見ながら受信アンテナ２の向きを調整した後、各衛星Ａ，Ｂからの受信信号の信号レベル（絶対レベル）を確認することで、受信アンテナ２の向きが適正か否かを判定できることになり、受信アンテナ２の方向調整をより確実に実行できる。
【００６２】
尚、本実施例においては、表示装置１７及び表示制御回路１８が本発明の表示手段に相当し、選局回路１３とこれに指定チャンネルの信号を選局させるために制御回路２２で実行されるＳ１５０及びＳ１８０の処理とが本発明の選局手段に相当し、復調回路１４及びＡ／Ｄコンバータ１５とＡ／Ｄコンバータ１５から信号レベルを読み込む１６０及びＳ１９０の処理とが本発明のレベル検出手段に相当する。また、制御回路２２にて実行される処理のうち、偏波切換信号Ｓｖ、衛星切換信号Ｓｔを設定して、受信アンテナ２から各衛星Ａ，Ｂの受信信号（ＲＦ信号）を交互に出力させるＳ１２０〜Ｓ１４０及びＳ１７０の処理は、本発明の人工衛星指定手段に相当し、Ｓ２００で実行される受信レベル表示処理（図６）は、本発明の表示制御手段に相当する。
【００６３】
以上、本発明の実施例について説明したが、本発明は上記実施例に限定されるものではなく、種々の態様を採ることができる。
例えば、上記実施例では、表示装置１７には、各衛星Ａ，Ｂの信号レベルのバー表示だけでなく、数値表示をも同時に行うものとして説明したが、通常時には、各衛星Ａ，Ｂの信号レベルのバー表示を行い、使用者から指定されたときにだけ、表示装置１７への表示形態を数値表示に切り換えるようにしてもよい。
【図面の簡単な説明】
【図１】  実施例の受信レベル測定装置全体の構成を表すブロック図である。
【図２】  受信アンテナのコンバータの概略構成を表すブロック図である。
【図３】  受信レベル測定装置の信号重畳回路の出力波形を表すグラフである。
【図４】  表示装置への信号レベルの表示状態を表す説明図である。
【図５】  受信レベル測定処理を表すフローチャートである。
【図６】  受信レベル表示処理を表すフローチャートである。
【符号の説明】
２…受信アンテナ、９…伝送線、１０…受信レベル測定装置、１２…電源分離フィルタ、１３…選局回路、１４…復調回路、１５…Ａ／Ｄコンバータ、１６…操作部、１７…表示装置、１８…表示制御回路、１９…電圧発生回路、２０…トーン信号発生回路、２１…信号重畳回路、２２…制御回路、３０…コンバータ。
【図１】
0003935737.tif 000002
【図２】
0003935737.tif 000003
【図３】
0003935737.tif 000004
【図４】
0003935737.tif 000005
【図５】
0003935737.tif 000006
【図６】
0003935737.tif 000007